(57)【要約】【課題】映像信号の伝送方式に合った処理を適切かつ効率的に行えるようにする。【解決手段】まず、カメラ１において、方式情報送信部１１は、カメラ１が使用している映像信号伝送方式（ＮＴＳＣ方式、ＰＡＬ方式、ＳＥＣＡＭのいずれか）を記録再生装置２に通知する。記録再生装置２において、セレクタ２２は、複数の記録／再生部２０Ａ，２０Ｂの中から前記通知された映像信号伝送方式に対応した処理を行える記録／再生部を選択する。また、カメラ１において、撮像部１０にて撮像処理が行われると、信号送信部１２は、撮像処理された映像信号を記録再生装置２へ送信する。記録再生装置２において、信号受信部２３は、カメラ１から送信されてくる映像信号を受信し、この受信した映像信号を前記選択した記録／再生部に記録処理させる。【選択図】    図１
2005167339.tif 000002
【特許請求の範囲】
【請求項１】
映像信号の出力が可能な第１の電子機器と、映像信号の入力が可能な第２の電子機器とで構成されるシステムに適用される映像信号処理方法であって、
前記第１の電子機器が使用している映像信号伝送方式を、当該第１の電子機器から前記第２の電子機器に通知し、
前記第２の電子機器において、複数の映像信号処理手段の中から前記通知された映像信号伝送方式に対応した処理を行える映像信号処理手段を選択し、
映像信号を前記第１の電子機器から前記第２の電子機器へ送信し、
前記第１の電子機器から送信されてくる前記映像信号を前記第２の電子機器において受信し、この受信した映像信号を前記選択した映像信号処理手段に処理させる
ことを特徴とする映像信号処理方法。
【請求項２】
映像信号の出力が可能な第１の電子機器と、映像信号の入力が可能な第２の電子機器とで構成されるシステムに適用される映像信号処理方法であって、
前記第２の電子機器が使用している映像信号伝送方式を、当該第２の電子機器から前記第１の電子機器に通知し、
前記第１の電子機器において、複数の映像信号処理手段の中から前記通知された映像信号伝送方式に対応した信号処理を行える映像信号処理手段を選択し、
前記第１の電子機器において、前記選択した映像信号処理手段に映像信号を処理させ、処理された映像信号を前記第１の電子機器から前記第２の電子機器へ送信する
ことを特徴とする映像信号処理方法。
【請求項３】
更に、前記第２の電子機器において、前記選択した映像信号処理手段に映像信号を処理させ、処理された映像信号を前記第２の電子機器から前記第１の電子機器へ送信する
ことを特徴とする請求項１記載の映像信号処理方法。
【請求項４】
複数の映像信号伝送方式にそれぞれ対応した処理を行える複数の映像信号処理手段と、
映像信号の出力が可能な外部機器から、当該外部機器が使用している映像信号伝送方式の通知を受ける方式情報受信手段と、
前記複数の映像信号処理手段の中から前記通知された映像信号伝送方式に対応した処理を行える映像信号処理手段を選択する選択手段と、
前記外部機器から送信されてくる前記映像信号を受信し、この受信した映像信号を前記選択された映像信号処理手段に処理させる信号受信処理手段と
を具備することを特徴とする電子機器。
【請求項５】
複数の映像信号伝送方式にそれぞれ対応した処理を行える複数の映像信号処理手段と、
映像信号の入力が可能な外部機器から、当該外部機器が使用している映像信号伝送方式の通知を受ける方式情報受信手段と、
前記複数の映像信号処理手段の中から前記通知された映像信号伝送方式に対応した処理を行える映像信号処理手段を選択する選択手段と、
前記選択された映像信号処理手段に映像信号を処理させ、処理された映像信号を前記外部機器へ送信する信号送信処理手段と
を具備することを特徴とする電子機器。
【請求項６】
前記選択された映像信号処理手段に映像信号を処理させ、処理された映像信号を前記外部機器へ送信する信号送信処理手段を更に具備することを特徴とする請求項５記載の電子機器。
【請求項７】
前記複数の映像信号伝送方式は、ＮＴＳＣ（National Television System Committee）方式、ＰＡＬ（Phase Alternation by line）方式、およびＳＥＣＡＭ（Sequential Couleur A Memoire）方式のうちの少なくとも２つを含むことを特徴とする請求項４乃至６のいずれかに記載の電子機器。
【請求項８】
前記複数の映像信号処理手段は、映像信号の再生処理および記録処理の少なくとも一方を行うものであることを特徴とする請求項４乃至６のいずれかに記載の電子機器。
【発明の詳細な説明】
【技術分野】
【０００１】
本発明は、映像信号の入力または出力が可能な電子機器および映像信号処理方法に関する。
【背景技術】
【０００２】
映像を扱う電子機器には様々なものがある。例えば、テレビ受像機、ディスプレイ装置、ビデオカメラ、ビデオレコーダなどのＡＶ機器が挙げられる。このようなＡＶ機器は、一般に、映像信号（ビデオ信号）を入力もしくは出力するための端子を備えている。
【０００３】
上記映像信号の伝送方式には、いくつかの標準規格が存在する。例えば、米国や日本では、ＮＴＳＣ（National Television System Committee）規格に準拠した伝送方式が採用されている。また、英国や西欧の一部では、ＰＡＬ（Phase Alternation by line）規格に準拠した伝送方式が採用されている。また、ロシアや東欧では、ＳＥＣＡＭ（Sequential Couleur A Memoire）規格に準拠した信号伝送方式が採用されている。各方式には、走査線数、インタフェース方式、解像度、水平／垂直同期周波数、単位時間当りの送信フレーム数などの違いがある。
【０００４】
各ＡＶ機器は、一般に、当該機器が使用される地域または国が採用している規格に合った伝送方式で映像信号を処理するよう構成されている。このため、ＡＶ機器は、特定の伝送方式で映像信号を処理することはできても、それ以外の伝送方式で映像信号を処理することはできない。
【０００５】
なお、上述した映像信号伝送方式とは概念が異なるが、特許文献１には、画像データ受信側のデータ記録フォーマット（通常のビデオ系フォーマットまたはパソコン系フォーマット）に対応した画像データを画像データ受信側へ送信する技術が開示されている。また、特許文献２には、第１の形式（ＴＳフォーマット）または第２の形式（ＰＳフォーマット）のデータを受け取り、そのデータの形式に応じて、前記データを第１のデコード部または第２のデコード部に供給する技術が開示されている。
【特許文献１】特開平０８−１５３３７６号公報
【特許文献２】特開平１０−１５４３７３号公報
【発明の開示】
【発明が解決しようとする課題】
【０００６】
例えば、西欧などにおいてＰＡＬ規格に対応したレコーダを用いて記録された映像を再生する場合、ＰＡＬ規格に対応した再生装置を用いて再生を行う必要がある。日本ではＮＴＳＣ規格に対応した再生装置は容易に入手することはできても、ＰＡＬ規格に対応した所望の再生装置を入手することが困難である場合が多い。このような場合、ＰＡＬ規格に対応した再生装置をあらためて購入するなどして調達しなければならず、使用者にとって不便である。また、再生装置を用いて再生を行う場合だけでなく、記録装置を用いて記録（ダビング等）を行う場合にも同じことが言える。
【０００７】
特許文献１の技術によれば、通常のビデオ系フォーマットの画像データとパソコン系フォーマットの画像データのいずれにも対応可能であるが、例えば映像信号伝送方式が異なるＮＴＳＣ信号とＰＡＬ信号とのいずれにも対応できるわけではない。また、特許文献２の技術によれば、ＴＳフォーマットの画像データとＰＳフォーマットの画像データとのいずれにも対応可能であるが、例えば映像信号伝送方式が異なるＮＴＳＣ信号とＰＡＬ信号とのいずれにも対応できるわけではない。
【０００８】
本発明は上記実情に鑑みてなされたものであり、映像信号の伝送方式に合った再生処理もしくは記録処理を適切かつ効率的に行うことができる電子機器および映像信号処理方法を提供することを目的とする。
【課題を解決するための手段】
【０００９】
本発明に係る映像信号処理方法は、映像信号の出力が可能な第１の電子機器と、映像信号の入力が可能な第２の電子機器とで構成されるシステムに適用される映像信号処理方法であって、前記第１の電子機器が使用している映像信号伝送方式を、当該第１の電子機器から前記第２の電子機器に通知し、前記第２の電子機器において、複数の映像信号処理手段の中から前記通知された映像信号伝送方式に対応した処理を行える映像信号処理手段を選択し、映像信号を前記第１の電子機器から前記第２の電子機器へ送信し、前記第１の電子機器から送信されてくる前記映像信号を前記第２の電子機器において受信し、この受信した映像信号を前記選択した映像信号処理手段に処理させることを特徴とする。
【００１０】
また、本発明に係る映像信号処理方法は、映像信号の出力が可能な第１の電子機器と、映像信号の入力が可能な第２の電子機器とで構成されるシステムに適用される映像信号処理方法であって、前記第２の電子機器が使用している映像信号伝送方式を、当該第２の電子機器から前記第１の電子機器に通知し、前記第１の電子機器において、複数の映像信号処理手段の中から前記通知された映像信号伝送方式に対応した信号処理を行える映像信号処理手段を選択し、前記第１の電子機器において、前記選択した映像信号処理手段に映像信号を処理させ、処理された映像信号を前記第１の電子機器から前記第２の電子機器へ送信することを特徴とする。
【００１１】
また、本発明に係る電子機器は、複数の映像信号伝送方式にそれぞれ対応した処理を行える複数の映像信号処理手段と、映像信号の出力が可能な外部機器から、当該外部機器が使用している映像信号伝送方式の通知を受ける方式情報受信手段と、前記複数の映像信号処理手段の中から前記通知された映像信号伝送方式に対応した処理を行える映像信号処理手段を選択する選択手段と、前記外部機器から送信されてくる前記映像信号を受信し、この受信した映像信号を前記選択された映像信号処理手段に処理させる信号受信処理手段とを具備することを特徴とする。
【００１２】
また、本発明に係る電子機器は、複数の映像信号伝送方式にそれぞれ対応した処理を行える複数の映像信号処理手段と、映像信号の入力が可能な外部機器から、当該外部機器が使用している映像信号伝送方式の通知を受ける方式情報受信手段と、前記複数の映像信号処理手段の中から前記通知された映像信号伝送方式に対応した処理を行える映像信号処理手段を選択する選択手段と、前記選択された映像信号処理手段に映像信号を処理させ、処理された映像信号を前記外部機器へ送信する信号送信処理手段とを具備することを特徴とする。
【発明の効果】
【００１３】
映像信号の伝送方式に合った処理を適切かつ効率的に行うことができる。
【発明を実施するための最良の形態】
【００１４】
以下、図面を参照して、本発明の各実施形態を説明する。  
（第１の実施形態）
図１は、本発明の第１の実施形態に係るシステムの構成を示すブロック図である。  
このシステムは、複数の電子機器で構成され、例えばカメラ１と記録再生装置２とを含んでいる。カメラ１は、被写体を動画映像として撮影するためのビデオカメラである。一方、記録再生装置２は、映像の録画再生を行うためのビデオレコーダ（ハードディスクレコーダ、ＤＶＤデコーダなど）である。カメラ１と記録再生装置２との間には、映像信号伝送方式を示す情報を伝送するためのケーブル８１と、映像信号（および音声信号）を伝送するためのケーブル８２とが接続される。ここでは、カメラ１で撮影された映像を記録再生装置２に録画する場合を想定している。
【００１５】
上記カメラ１は、撮像部１０、方式情報送信部１１、信号送信部１２、出力端子８１Ａ、および出力端子８２Ａを備えている。  
撮像部１０は、被写体を動画映像として撮影処理し、該当する映像信号を出力するものである。
【００１６】
方式情報送信部１１は、当該カメラ１が使用している映像信号伝送方式（図２に示すＮＴＳＣ方式、ＰＡＬ方式、ＳＥＣＡＭのいずれか）を接続された外部機器（ここでは記録再生装置２）に通知するものであり、当該映像信号伝送方式を示す情報を出力端子８１Ａおよびケーブル８１を介して送信する。
【００１７】
信号送信部１２は、撮像部１０で撮像処理された映像信号を出力端子８２Ａおよびケーブル８２を介して送信するものである。
【００１８】
上記記録再生装置２は、記録／再生部２０Ａ、記録／再生部２０Ｂ、方式情報受信部２１、セレクタ２２、信号受信部２３、入力端子８１Ｂ、および入力端子８２Ｂを備えている。  
記録／再生部２０Ａおよび記録／再生部２０Ｂは、互いに異なる映像信号伝送方式に対応した記録／再生処理を行う。例えば、記録／再生部２０ＡはＮＴＳＣ方式に対応した記録／再生処理を行い、一方、記録／再生部２０ＢはＰＡＬ方式に対応した記録／再生処理を行う。
【００１９】
方式情報受信部２１は、接続された外部機器（ここではカメラ１）から、当該外部機器が使用している映像信号伝送方式の通知を受けるものであり、当該映像信号伝送方式を示す情報をケーブル８１および入力端子８１Ｂを介して受信する。
【００２０】
セレクタ２２は、例えば信号受信部２３に備えられ、複数の記録／再生部２０Ａ，２０Ｂの中から前記通知された映像信号伝送方式に対応した処理を行える記録／再生部を選択するものである。
【００２１】
信号受信部２３は、外部機器（ここではカメラ１）から送信されてくる映像信号をケーブル８２および入力端子８２Ｂを介して受信し、この受信した映像信号をセレクタ２２にて選択された記録／再生部（記録／再生部２０Ａ，２０Ｂのいずれか）に記録処理させたりするものである。
【００２２】
次に、図３を参照して、同実施形態における動作を説明する。  
まず、カメラ１において、方式情報送信部１１は、カメラ１が使用している映像信号伝送方式を記録再生装置２に通知する（ステップＡ１）。
【００２３】
次に、記録再生装置２において、セレクタ２２は、複数の記録／再生部２０Ａ，２０Ｂの中から前記通知された映像信号伝送方式に対応した処理を行える記録／再生部を選択する（ステップＡ２）。
【００２４】
また、カメラ１において、撮像部１０にて撮像処理が行われると（ステップＡ３）、信号送信部１２は、撮像処理された映像信号を記録再生装置２へ送信する（ステップＡ４）。
【００２５】
記録再生装置２において、信号受信部２３は、カメラ１から送信されてくる映像信号を受信し、この受信した映像信号を前記選択した記録／再生部に記録処理させる（ステップＡ５）。
【００２６】
このように、第１の実施形態によれば、使用者はカメラ１が使用している映像信号伝送方式が何であるかを意識しなくても、撮影された映像を適切かつ効率的に記録再生装置２に記録させることができる。
【００２７】
（第２の実施形態）
図４は、本発明の第２の実施形態に係るシステムの構成を示すブロック図である。  
このシステムは、複数の電子機器で構成され、例えば記録再生装置３と表示装置４とを含んでいる。記録再生装置３は、映像の録画再生を行うためのビデオレコーダ（ハードディスクレコーダ、ＤＶＤデコーダなど）である。一方、表示装置４は、映像信号を表示処理することが可能なディスプレイ装置もしくはテレビ受像機である。記録再生装置３と表示装置４との間には、映像信号伝送方式を示す情報を伝送するためのケーブル８１と、映像信号（および音声信号）を伝送するためのケーブル８２とが接続される。ここでは、記録再生装置３で再生される映像を表示装置４に表示させる場合を想定している。
【００２８】
上記記録再生装置３は、記録／再生部３０Ａ、記録／再生部３０Ｂ、方式情報受信部３１、セレクタ３２、信号送信部３３、入力端子８１Ｃ、および出力端子８２Ｃを備えている。  
記録／再生部３０Ａおよび記録／再生部３０Ｂは、互いに異なる映像信号伝送方式に対応した記録／再生処理を行う。例えば、記録／再生部３０ＡはＮＴＳＣ方式に対応した記録／再生処理を行い、一方、記録／再生部３０ＢはＰＡＬ方式に対応した記録／再生処理を行う。
【００２９】
方式情報受信部３１は、接続された外部機器（ここでは表示装置４）から、当該外部機器が使用している映像信号伝送方式の通知を受けるものであり、当該映像信号伝送方式を示す情報をケーブル８１および入力端子８１Ｃを介して受信する。
【００３０】
セレクタ３２は、例えば信号送信部３３に備えられ、複数の記録／再生部３０Ａ，３０Ｂの中から前記通知された映像信号伝送方式に対応した処理を行える記録／再生部を選択するものである。
【００３１】
信号送信部３３は、セレクタ２２にて選択された記録／再生部（記録／再生部２０Ａ，２０Ｂのいずれか）に映像信号を再生処理させ、この再生処理された映像信号を出力端子８２Ｃおよびケーブル８２を介して送信させたりするものである。
【００３２】
上記表示装置４は、表示部４０、方式情報送信部４１、信号受信部４２、出力端子８１Ｄ、および入力端子８２Ｄを備えている。  
表示部４０、信号受信部４２で受信される映像信号を表示出力するものである。
【００３３】
方式情報送信部４１は、当該方式情報送信部４１が使用している映像信号伝送方式（ＮＴＳＣ方式、ＰＡＬ方式、ＳＥＣＡＭのいずれか）を接続された外部機器（ここでは記録再生装置３）に通知するものであり、当該映像信号伝送方式を示す情報を出力端子８１Ｄおよびケーブル８１を介して送信する。
【００３４】
信号受信部４２は、外部機器（ここでは記録再生装置３）から送信されてくる映像信号をケーブル８２および入力端子８２Ｄを介して受信し、この受信した映像信号を表示部４０に表示処理させたりするものである。
【００３５】
次に、図５を参照して、同実施形態における動作を説明する。  
まず、表示装置４において、方式情報送信部４１は、表示装置４が使用している映像信号伝送方式を記録再生装置３に通知する（ステップＢ１）。
【００３６】
次に、記録再生装置３において、セレクタ３２は、複数の記録／再生部３０Ａ，３０Ｂの中から前記通知された映像信号伝送方式に対応した信号処理を行える記録／再生部を選択する（ステップＢ２）。
【００３７】
また、記録再生装置３において、信号送信部３３は、前記選択した記録／再生部に映像信号を処理させ（ステップＢ３）、処理された映像信号を表示装置４へ送信する（ステップＢ４）。
【００３８】
表示装置４において、信号受信部４２は、記録再生装置３から送信されてくる映像信号を受信し、この受信した映像信号を表示部４０に表示処理させる（ステップＢ５）。
【００３９】
このように、第２の実施形態によれば、ユーザは表示装置４が使用している映像信号伝送方式が何であるかを意識しなくても、記録再生装置２で再生される映像を適切かつ効率的に表示装置４に表示させることができる。
【００４０】
（第３の実施形態）
図６は、本発明の第３の実施形態に係るシステムの構成を示すブロック図である。  
このシステムは、複数の電子機器で構成され、例えば第１の記録再生装置５と第２の記録再生装置６とを含んでいる。第１の記録再生装置５は、映像の録画再生を行うためのビデオレコーダ（ハードディスクレコーダ、ＤＶＤデコーダなど）である。第２の記録再生装置６も、第１の記録再生装置５と同様、映像の録画再生を行うためのビデオレコーダ（ハードディスクレコーダ、ＤＶＤデコーダなど）である。第１の記録再生装置５と第２の記録再生装置６との間には、映像信号伝送方式を示す情報を伝送するためのケーブル８１と、映像信号（および音声信号）を伝送するためのケーブル８２，８３とが接続される。ここでは、第１の記録再生装置５と第２の記録再生装置６との間で、映像データ（および音声データ）のダビング処理を行う場合を想定している。
【００４１】
上記第１の記録再生装置５は、記録／再生部５０、方式情報送信部５１、信号送受信部５２、出力端子８１Ｅ、出力端子８２Ｅ、および入力端子８３Ａを備えている。  
記録／再生部５０は、所定の映像信号伝送方式（ＮＴＳＣ方式、ＰＡＬ方式、ＳＥＣＡＭのいずれか）に対応した記録／再生処理を行う。
【００４２】
方式情報送信部５１は、当該方式情報送信部５１が使用している映像信号伝送方式（ＮＴＳＣ方式、ＰＡＬ方式、ＳＥＣＡＭのいずれか）を接続された外部機器（ここでは記録再生装置６）に通知するものであり、当該映像信号伝送方式を示す情報を出力端子８１Ｅおよびケーブル８１を介して送信する。
【００４３】
信号送受信部５２は、記録／再生部５０で再生処理された映像信号を出力端子８２Ｅおよびケーブル８２を介して送信したり、逆に、外部機器（ここでは記録再生装置６）から送信されてくる映像信号をケーブル８２および入力端子８３Ｂを介して受信して記録／再生部５０に記録処理させたりするものである。
【００４４】
上記第２の記録再生装置６は、記録／再生部６０Ａ、記録／再生部６０Ｂ、方式情報受信部６１、セレクタ６２、信号送受信部６３、入力端子８１Ｆ、入力端子８２Ｆ、および出力端子８３Ｂを備えている。  
記録／再生部６０Ａおよび記録／再生部６０Ｂは、互いに異なる映像信号伝送方式に対応した記録／再生処理を行う。例えば、記録／再生部６０ＡはＮＴＳＣ方式に対応した記録／再生処理を行い、一方、記録／再生部６０ＢはＰＡＬ方式に対応した記録／再生処理を行う。
【００４５】
方式情報受信部６１は、接続された外部機器（ここでは記録再生装置５）から、当該外部機器が使用している映像信号伝送方式の通知を受けるものであり、当該映像信号伝送方式を示す情報をケーブル８１および入力端子８１Ｆを介して受信する。
【００４６】
セレクタ６２は、例えば信号送受信部６３に備えられ、複数の記録／再生部６０Ａ，６０Ｂの中から前記通知された映像信号伝送方式に対応した処理を行える記録／再生部を選択するものである。
【００４７】
信号送受信部６３は、外部機器（ここでは記録再生装置５）から送信されてくる映像信号をケーブル８２および入力端子８２Ｆを介して受信し、この受信した映像信号をセレクタ６２にて選択された記録／再生部（記録／再生部６０Ａ，６０Ｂのいずれか）に記録処理させたり、逆に、該当する記録／再生部で再生される映像信号を外部機器（ここでは記録再生装置５）へ送信したりするものである。
【００４８】
次に、図７を参照して、同実施形態における動作を説明する。  
まず、第１の記録再生装置５において、方式情報送信部５１は、第１の記録再生装置５が使用している映像信号伝送方式を第２の記録再生装置６に通知する（ステップＣ１）。
【００４９】
次に、第２の記録再生装置６において、セレクタ６２は、複数の記録／再生部６０Ａ，６０Ｂの中から前記通知された映像信号伝送方式に対応した処理を行える記録／再生部を選択する（ステップＣ２）。
【００５０】
ここで、第２の記録再生装置６が第１の記録再生装置５から映像信号を受信する場合と、第１の記録再生装置５へ映像信号を送信する場合とでは、処理の流れが異なる。
【００５１】
第２の記録再生装置６が第１の記録再生装置５から映像信号を受信するケースでは（ステップＣ３の“受信”）、第１の記録再生装置５において、信号送受信部５２は、記録／再生部５０に映像信号を再生処理させ、再生処理された映像信号を第２の記録再生装置６へ送信する（ステップＣ４）。そして、第２の記録再生装置６において、信号送受信部６３は、第１の記録再生装置５から送信されてくる映像信号を受信し、この受信した映像信号を前記選択した記録／再生部に記録処理させる（ステップＣ５）。
【００５２】
一方、第２の記録再生装置６が第１の記録再生装置５へ映像信号を送信するケースでは（ステップＣ３の“送信”）、第２の記録再生装置６において、信号送受信部６３は、前記選択した記録／再生部に映像信号を再生処理させ、再生処理された映像信号を第１の記録再生装置５へ送信する（ステップＣ６）。そして、第１の記録再生装置５において、信号送受信部５２は、第２の記録再生装置６から送信されてくる映像信号を受信し、この受信した映像信号を記録／再生部５０に記録処理させる（ステップＣ７）。
【００５３】
このように、第３の実施形態によれば、使用者は第１の記録再生装置５が使用している映像信号伝送方式が何であるかを意識しなくても、第１の記録再生装置５と第２の記録再生装置６との間のダビング処理などを適切かつ効率的に行うことができる。
【００５４】
なお、上記の各実施形態では個々の電子機器が「方式情報送信部」と「方式情報受信部」のいずれか一方のみを備えている場合を例にとって説明したが、これに限定されず、個々の電子機器が「方式情報送信部」と「方式情報受信部」の両方を備えている構成としてもよい。
【００５５】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５６】
【図１】本発明の第１の実施形態に係るシステムの構成を示すブロック図。
【図２】映像信号伝送方式の種類を示す図。
【図３】同実施形態における動作を示すフローチャート。
【図４】本発明の第２の実施形態に係るシステムの構成を示すブロック図。
【図５】同実施形態における動作を示すフローチャート。
【図６】本発明の第３の実施形態に係るシステムの構成を示すブロック図。
【図７】同実施形態における動作を示すフローチャート。
【符号の説明】
【００５７】
１…カメラ、２…記録再生装置、３…記録再生装置、４…表示装置、５…第１の記録再生装置、６…第２の記録再生装置、１０…撮像部、１１，４１，５１…方式情報送信部、１２，３３…信号送信部、２０Ａ，２０Ｂ，３０Ａ，３０Ｂ，５０，６０Ａ，６０Ｂ…記録／再生部、２１，３１，６１…方式情報受信部、２２，３２，６２…セレクタ、２３，４２…信号受信部、５２，６３…信号送受信部、８１，８２…ケーブル、８１Ａ,８２Ａ，８１Ｄ，８１Ｅ，８３Ｂ…出力端子、８１Ｂ，８２Ｂ，８１Ｃ，８２Ｄ，８１Ｆ，８２Ｆ，８３Ａ…入力端子。
【図１】
2005167339.tif 000003
【図２】
2005167339.tif 000004
【図３】
2005167339.tif 000005
【図４】
2005167339.tif 000006
【図５】
2005167339.tif 000007
【図６】
2005167339.tif 000008
【図７】
2005167339.tif 000009